(57)【特許請求の範囲】
【請求項１】
梱包すべき製品の上面および側面を覆う、下面が開口している一体構造の第１カバー部材と、
前記製品の下面を覆い、前記第１カバー部材と着脱自在に一体化されて内部に収容空間を形成するカバー部材であって、切り欠きを四隅部に形成してある底板部と、底板部に対して折り曲げ自在に一体化してある４つの側面接合片とを有する第２カバー部材と、
前記製品の下面と前記第２カバー部材との間に装着され、前記収容空間の内部を所定温度に保温する面状発熱体とを有する簡易組立式保温コンテナ。
【請求項２】
前記第１カバー部材及び前記第２カバー部材が、ともに保温性マットで構成してあることを特徴とする請求項１に記載の簡易組立式保温コンテナ。
【発明の詳細な説明】
【０００１】
【発明の属する技術分野】
本発明は、簡易組立式保温コンテナに係り、さらに詳しくは、たとえば大型コンピュータなどの電子機器の内部に結露が発生することがないように、これらの機器を搬送および保管することができ、移送および搬入作業に適した簡易組立式保温コンテナに関する。
【０００２】
【従来の技術】
精密部品で構成される電子機器などは、移送および搬入の作業を通して、製品の保管温度を低下させることなく、あるいは、湿気をさけて乾燥状態を維持することが必要とされる場合がある。従来、このような製品の輸送には、底面に電熱板を設け、側板内側に保温用断熱材を内設した組立式コンテナが使用されている（たとえば実開昭５３−１５５７７４号公報）。
【０００３】
しかしながら、近年、コンピュータが大型化し、重量が増大するに伴い、上記のような組立式コンテナを用いて輸送することは、コンテナ自体を大型化する必要があり、そのためにかえって輸送作業に手間取り、さらに輸送コストが増大するなどの問題が生じている。
【０００４】
【発明が解決しようとする課題】
本発明は、このような実状に鑑みてなされ、たとえば大型コンピュータなどの電子機器の内部に結露が発生することがないように、これらの機器を搬送および保管することができ、移送および搬入作業に適した簡易組立式保温コンテナを提供することを目的とする。
【０００５】
【課題を解決するための手段】
上記目的を達成するために、本発明に係る簡易組立式保温コンテナは、
梱包すべき製品の上面および側面を覆う第１カバー部材と、
前記製品の下面を覆い、前記第１カバー部材と着脱自在に一体化されて内部に収容空間を形成する第２カバー部材と、
前記製品の下面と前記第２カバー部材との間に装着され、前記収容空間の内部を所定温度に保温する面状発熱体とを有する。
【０００６】
前記第１カバー部材には、線状ファスナーが具備してあり、拡開可能にしてあることが好ましい。
第２カバー部材には、梱包すべき製品のキャスターなどの移動部材を外部に露出させるための切り欠きが形成してあることが好ましい。
または、第２カバー部材は、コンテナ用パレットを兼ねていても良い。この場合には、面状発熱体は、パレットの上に配置してあり、面状発熱体へ電力を供給する電源および制御装置も、パレットの上に配置してあることが好ましい。
【０００７】
【発明の実施の形態】
以下、本発明を、図面に示す実施形態に基づき説明する。
第１実施形態
図１に示すように、本実施形態に係る簡易組立式コンテナ２は、梱包すべき製品４の上面および側面を覆い、下面が開口している第１カバー部材８を有する。第１カバー部材８は、下面の開口部から製品４が挿入されて、製品４の上面および側面を覆うようになっている。製品４としては、 特に限定されないが、たとえば大型コンピュータなどの精密機器が例示される。
【０００８】
第１カバー部材８の一側面には、結露注意表示１０と、結露防止キット収容袋１２と、温度表示計１４とが具備してある。結露注意表示１０には、製品４の結露を防止する対策を施すべき旨の表示がしてある。収容袋１２には、結露簡易チェックキットなどが収容可能になっている。温度表示計１４は、コンテナ２の内部の温度を計測して表示するようになっている。
【０００９】
第１カバー部材８は、たとえば発泡ポリウレタンなどの保温性マットで構成してあり、その厚みは特に限定されないが、たとえば２６mm程度である。第１カバー部材８の４側面下方には、複数位置に、第１面状ファスナー１６が装着してある。これら面状ファスナー１６は、後述する第２カバー部材２０に装着してある第２面状ファスナー２６と着脱自在に面接合可能になっている。
【００１０】
第２カバー部材２０は、製品４の下面を覆うように構成してあり、底板部２２と、底板部２２に対して折り曲げ自在に一体化してある４つの側面接合片２４とを有する。側面接合片２４の内面外方には、第２面状ファスナー２６が、第１面状ファスナー１６に対応する位置に形成してある。底板部２２の四隅部には、製品４の下方に具備してある移動用キャスター６に対応する位置で、切り欠き２８が形成してあり、これら切り欠き２８からキャスター６が外部に露出可能になっている。第２カバー部材２０は、第１カバー部材８と同様な材質で構成され、同様な厚みを有する。
【００１１】
製品の下面と第２カバー部材２０との間には、面状発熱体３２が内面に具備された板状ヒータ３０が装着される。面状発熱体３２には、コード３６が接続してあり、電源３４から電力を供給可能になっている。面状発熱体３２は、第１カバー部材８および第２カバー部材２０で囲まれた収容空間の内部を所定温度に保温するためのものである。発熱体３２の表面温度は、特に限定されないが、５５°Ｃ±５°Ｃ程度である。発熱体３２には、サーモスタットが多数装着してあり、温度が上がりすぎないように調節される。収容空間の内部の温度は、特に限定されないが、外気温度が−１０°Ｃの場合でも、１５〜２０°Ｃ程度を維持することができるようになっている。
【００１２】
面状発熱体３２の具体的構造は、特に限定されないが、例えば、特開平２−１４２０８５号公報に記載されているように、通電されて発熱する発熱層と、この発熱層の両面に積層してある絶縁層とを有する面状発熱体であって、前記絶縁層が、プラスチック材料で構成されたものであることが好ましく、例えば、ポリ塩化ビニル系樹脂またはプロピレンとα−オレフィンとの共重合体から成る絶縁シートで構成してあることが好ましい。
【００１３】
発熱層の具体的な構造は、特に限定されず、たとえば基布に導電性塗料を塗布した発熱層、導電性線条体（線、帯、糸）を面状に配置して成る発熱層、導電性粒子が分散された導電性シートから成る発熱層、導電性塗料層から成る発熱層などが例示される。発熱層の厚みは、特に限定されないが、たとえば０．８〜１．４ｍｍ程度である。
【００１４】
絶縁シートの厚みは、面状発熱体として要求される絶縁性および可撓性などの要求から決定され、好ましくは１ｍｍ以下、さらに好ましくは０．２〜０．５ｍｍである。
発熱層と絶縁層との積層方法は、特に限定されず、接着剤による方法、熱融着による方法などが例示される。接着剤を用いる場合には、接着剤としては、ポリウレタン系やエポキシ樹脂系の接着剤が好ましく使用される。
【００１５】
本実施形態に係る簡易組立式保温コンテナ２を用いることで、たとえば大型コンピュータなどの製品４を寒冷地において搬送または保管する場合でも、コンテナの内部を所定温度に保温することが可能になり、コンテナの内部に結露が発生することがなくなる。したがって、製品４を結露から有効に保護することができる。また、製品４の梱包および開梱作業も容易であり、製品４の移送および搬入作業に適している。さらに、製品４の移動用キャスター６を、そのままコンテナの移動のためのキャスターとして用いることができ、部品点数の削減に寄与する。
【００１６】
第２実施形態
図２に示すように、本実施形態の簡易組立式コンテナ２ａは、梱包すべき製品４（図１参照）の上面および側面を覆い、下面が開口している第１カバー部材８ａを有する。この実施形態の第１カバー部材８ａの一側面には、図３に示すように、側面上端部を水平方向に開閉自在な水平線状ファスナー１１と、水平線状ファスナー１１の略中央部から下方に開閉自在な垂直線状ファスナー１３とが形成してある。これらファスナー１１および１３を開けることにより、第１カバー部材８ａの下端開口部が大きく開き、図１に示す製品４の梱包および開梱作業が容易になる。
【００１７】
第１カバー部材８ａの下端部周囲には、垂直ファスナー１３以外の部分で全周に沿って第１面状ファスナー１６ａが装着してある。第１カバー部材８ａにおけるその他の構成は、図１に示す第１カバー部材８の構成と同様である。
【００１８】
図４に示すように、本実施形態の第２カバー部材２０ａは、図１に示す製品４の下面を覆うように構成してあり、底板部２２ａと、底板部２２ａに対して折り曲げ自在に一体化してある４つの側面接合片２４ａとを有する。側面接合片２４ａの内面外方には、第２面状ファスナー２６ａが、第１面状ファスナー１６ａに対応する位置に形成してある。
【００１９】
また、相互に反対側に位置する一対の側面接合片２４ａの両側には、突出片２７が一体に成形してある。突出片２７は、図２に示すように、隣接する側面接合片２４ａの外側に折り曲げられ、図４に示す突出片２７の先端内面に具備してある第３面状ファスナー２５が、図２に示す側面接合片２４ａの外面に具備してある第４面状ファスナー２９に対して着脱自在に面接合可能になっている。
【００２０】
図４に示すように、底板部２２ａの四隅部には、製品４の下方に具備してある移動用キャスター６に対応する位置で、略円形の切り欠き２８ａが形成してあり、これら切り欠き２８ａからキャスター６が外部に露出可能になっている。また、底板部２２ａの略中央部には、図５（Ａ）に示す板状ヒータ３０ａの背面に対して着脱自在に面接合する第５面状ファスナー２３が具備してある。第２カバー部材２０ａのその他の構造は、図１に示す第２カバー部材２０と同様である。
【００２１】
図５（Ａ）に示すように、本実施形態の板状ヒータ３０ａは、略矩形状をしており、同図（Ｂ）に示すように、面状発熱体３２ａと、その表面に積層してあるアルミニウム箔３５と、面状発熱体３２ａの背面に積層してある断熱材３７とから成る。面状発熱体３２ａの具体的構造は、特に限定されないが、たとえば図１に示す面状発熱体３２と同じ構造を有する。この実施形態では、アルミ箔３５の厚みは、０．４mmであり、断熱材３７の厚みは８．０mmであり、面状発熱体３２ａの厚みは１．３mmである。断熱材３７としては、特に限定されないが、たとえば発泡ポリウレタンなどが例示される。
【００２２】
図５（Ａ）に示すように、面状発熱体３２ａには、コード３６ａを介して電源３４ａが接続してあり、コード３６ａの途中には、安全装置としてのヒューズ３１と、電源のオン・オフを制御するスイッチ３３が具備してある。板状ヒータ３０ａのその他の構成は、図１に示すヒータ３０と同様である。
【００２３】
第３実施形態
図６に示すように、本実施形態の簡易組立式コンテナ２ｂは、梱包すべき製品４（図１参照）の上面および側面を覆い、下面が開口している第１カバー部材８ｂを有する。この実施形態の第１カバー部材８ｂの一側面の両側には、上端から下端までを開閉自在に延びる一対の垂直線状ファスナー１３ｂが形成してある。これらファスナー１３ｂを開けることにより、第１カバー部材８ｂの下端開口部が大きく開き、図１に示す製品４の梱包および開梱作業が容易になる。第１カバー部材８ｂのその他の構成は、図１に示す第１カバー部材８の構成と同様である。
【００２４】
図６に示すように、本実施形態のコンテナ２ｂでは、図１に示す第２カバー部材２０の代わりに、パレット２０ｂが配置してある。パレット２０ｂの周囲四方には、フォークリフトなどのツメ部が差し込み可能な凹部２１が形成してある。パレット２０ｂの上面の一側端部には、電源３４ｂが設置してある。電源３４ｂおよびパレット２０ｂの上面に対して、第１カバー部材８ｂの下端開口縁が面状ファスナーなどにより着脱自在に接合可能になっている。
【００２５】
第１カバー部材８ｂの下端開口部が位置するパレット２０ｂの表面には、複数の板状ヒータ３０ｂが配置してある。各板状ヒータ３０ｂには、電源３４ｂから電力が供給され、発熱するようになっている。各板状ヒータ３０ｂの具体的な構造は、特に限定されないが、たとえば図５（Ｂ）に示す板状ヒータ３０ａと同様なものでよい。あるいは、この板状ヒータ３０ｂは、図５（Ｂ）に示す断熱材３７の上に、面状発熱体３２ａ、ポリエステルフィルムおよび鉄板などを積層した構造であっても良い。
本実施形態に係るコンテナ２ｂでは、フォークリフトなどによる搬送が容易となる。
なお、本発明は、上述した実施形態に限定されるものではなく、本発明の範囲内で種々に改変することができる。
【図面の簡単な説明】
【図１】  図１は本発明の一実施形態に係る簡易組立式保温コンテナの分解斜視図である。
【図２】  図２は本発明の他の実施形態に係る簡易組立式保温コンテナの概略斜視図である。
【図３】  図３は図２に示す第１カバー部材の概略斜視図である。
【図４】  図４は図２に示す第２カバー部材の概略斜視図である。
【図５】  図５（Ａ）は板状ヒータの構成を示す斜視図、同図（Ｂ）は板状ヒータの要部断面図である。
【図６】  図６は本発明のさらに他の実施形態に係る簡易組立式保温コンテナの概略斜視図である。
【符号の説明】
２，２ａ，２ｂ…  簡易組立式保温コンテナ
４…  製品
６…  キャスター
８，８ａ，８ｂ…  第１カバー部材
１６，１６ａ…  第１面状ファスナー
２０，２０ａ…  第２カバー部材
２０ｂ…  パレット
２６，２６ａ…  第２面状ファスナー
２８，２８ａ…  切り欠き
３０，３０ａ，３０ｂ…  板状ヒータ
３２，３２ａ…  面状発熱体
３４，３４ａ，３４ｂ…  電源
【図１】
0004227269.tif 000002
【図２】
0004227269.tif 000003
【図３】
0004227269.tif 000004
【図４】
0004227269.tif 000005
【図５】
0004227269.tif 000006
【図６】
0004227269.tif 000007